(57)【特許請求の範囲】
【請求項１】
支持部材と、この支持部材に設けられるフレキシャと、このフレキシャに支持されるヘッド本体とを有し、前記支持部材とヘッド本体との間に、前記ヘッド本体の中央部に当接し、可動支点となる主支持点が設けられ、さらに前記主支持点を通って、記録媒体との摺動方向に沿う直線上に、トレーリング側とリーディング側の双方において副支持点が設けられ、この副支持点は、前記ヘッド本体の主支持点を支点とした回動を記録媒体の逆側から抑制できるように弾性力を有する弾性腕を介して弾性支持されていることを特徴とする磁気ヘッド装置。
【請求項２】
前記支持部材には、記録媒体の摺動方向に伸びる挿入片が形成され、前記挿入片は前記支持体と前記フレキシャとが固定される際に、前記フレキシャに設けられた鉤状の折り曲げ片の凹部内に挿入される請求項１記載の磁気ヘッド装置。
【請求項３】
前記主支持点及び副支持点は、前記支持部材と一体に形成されている請求項１または請求項２に記載の磁気ヘッド装置。
【請求項４】
前記副支持点は、支持部材と別体に形成されて、前記支持部材に取り付けられている請求項１または請求項２に記載の磁気ヘッド装置。
【発明の詳細な説明】
【０００１】
【発明の属する技術分野】
本発明は、例えば光磁気ディスク装置などに装備される磁気ヘッド装置に係り、特にヘッド本体を、ピッチ剛性を大きくして支持できる磁気ヘッド装置に関する。
【０００２】
【従来の技術】
図５は、光磁気ディスク装置に装備される従来の磁気ヘッド装置の構造を示す部分斜視図である。
この磁気ヘッド装置は、ヘッド本体３０と、このヘッド本体３０を固定支持するためのフレキシャ３３と、さらに前記フレキシャ３３を支持するための支持部材４０とで構成されている。
【０００３】
図５に示すように、前記ヘッド本体３０は、スライダ３１とコア組立体３２とで構成されており、前記スライダ３１の図示左側がリーディング側Ａ、図示右側がトレーリング側Ｂとなっている。前記スライダ３１のトレーリング側Ｂ端部には、前記コア組立体３２が保持されている。なお、前記スライダ３１の下面が記録媒体との対向面であり、上面が支持部材４０により支持される支持側である。
前記コア組立体３２は、磁性材料のコアとコイルとから構成されており、前記コア組立体３２の下面は、前記スライダ３１の下面と同一面となっている。
【０００４】
フレキシャ３３は、薄い板ばねにより形成されている。図５に示すように、フレキシャ３３の固定部３４には、位置決め孔３５が形成されている。また前記フレキシャ３３には切欠き３６が形成されており、この切欠き３６によって離された部分が、支持部（舌片）３７となっている。図に示すように、この舌片３７の下に前記ヘッド本体３０が接着剤などによって固定されている。
【０００５】
支持部材４０は、ロードビーム４１とアダプタ４３とで構成されている。
前記ロードビーム４１は板ばね材料で形成されている。図５に示すようにロードビーム４１の両側には折り曲げ部４１ａ，４１ａが形成されており、この部分の剛性力は高くなっている。また前記ロードビーム４１には、前記折り曲げ部４１ａ，４１ａの終端からロードビーム４１後端部方向にかけて弾性力を有する板ばね機能部（図示しない）が形成されている。また前記ロードビーム４１には、一対の位置決め孔４２，４２が形成されている。
【０００６】
アダプタ４３は凹形状に形成されており、立ち上がり片４４，４５には位置決め孔４４ａ，４５ａが形成されている。この位置決め孔４４ａ，４５ａと、ロードビーム４１に形成された位置決め孔４２，４２とが位置合わせされ、前記アダプタ４３がロードビーム４１に固定支持される。
前記アダプタ４３の底辺は段差構造となっており、一段高くなっている底面には、図示下方向に突き出した球面状のピボット（支持点）４６が形成されている。一段低くなっている底面には位置決め孔４８が形成されており、この位置決め孔４８と、フレキシャ３３に形成された位置決め孔３５とが位置合わせされ、前記フレキシャ３３がアダプタ４３に固定支持される。なおこのとき、アダプタ４３に設けられた前記ピボット４６の頂点は、フレキシャ３３を介してヘッド本体３０の上面に当接し、前記ヘッド本体３０を揺動自在に支持する。
【０００７】
この磁気ヘッド装置では、記録媒体の半径方向からロードビーム４１が延びている。記録媒体が停止しているとき、ロードビーム４１の押圧力により、ヘッド本体３０の下面が記録媒体に圧接される。前記記録媒体が図示Ｘ方向に摺動し始めると、前記ヘッド本体３０と記録媒体との間に空気流が導かれ、トレーリング側Ｂがリーディング側Ａよりも下がった状態で前記ヘッド本体３０が記録媒体上で浮上する。
【０００８】
【発明が解決しようとする課題】
ヘッド本体３０が記録媒体上に浮上すると、前記ヘッド本体３０はアダプタ４３に設けられたピボット４６の頂点を支点とし、フレキシャ３３の舌片３７を介して、ピッチ方向及びロール方向に揺動可能となる。なおピッチ方向とは図５に示すように、記録媒体の摺動方向（Ｘ方向）と直交するＹ軸回りの回転揺動方向、ロール方向とは、記録媒体の摺動方向に伸びるＸ軸回りの回転揺動方向のことである。
【０００９】
ところで、ヘッド本体３０の浮上姿勢を安定させるには、フレキシャ３３のピッチ方向における剛性をある程度大きくし、ロール方向における剛性を小さくしておくことが好ましい。
仮にピッチ方向における剛性が小さすぎると、記録媒体がＸ方向に摺動するときに、ヘッド本体３０が、記録媒体との間の摩擦力の影響を強く受け、ヘッド本体３０のトレーリング側Ｂのみが持ち上がる、いわゆる前のめり姿勢が生じやすい。
【００１０】
また、ヘッド本体３０が空気流によって記録媒体から浮上する姿勢となったときに、前記ヘッド本体３０がピッチ方向に大きく振れやすくなるため、ヘッド本体３０のリーディング側Ａやトレーリング側Ｂの縁部が、記録媒体に衝突しやすい。このヘッド本体３０のピッチ揺動により、記録媒体及びヘッド本体３０に損傷を与えやすい。
一方においてロール剛性が大きすぎると、ヘッド本体３０が記録媒体上に浮上する際に、前記ヘッド本体３０がロール方向に傾いて浮上したり、あるいは記録媒体の半径方向への凹凸に追従できないなどの問題が発生する。
【００１１】
しかし図５に示す従来の磁気ヘッド装置のように、フレキシャ３３に舌片３７を有し、この舌片３７を介してヘッド本体３０をピボット４６により揺動自在に支持する構造では、ピッチ剛性とロール剛性とを別々に制御することが非常に難しい。
つまり、ピッチ剛性が大きくなるようにすれば、同時にロール剛性も大きくなってしまい、逆にロール剛性が小さくなるようにすると、ピッチ剛性も小さくなってしまう。
このため従来の磁気ヘッド装置では、ピッチ剛性とロール剛性とを別々に制御し、ヘッド本体３０の浮上安定性を図ることはできなかった。
【００１２】
本発明は上記従来の課題を解決するためのものであり、ピッチ剛性とロール剛性とを別々に制御できるようにし、ヘッド本体の浮上安定性を向上させることができる磁気ヘッド装置を提供することを目的としている。
【００１３】
【課題を解決するための手段】
本発明は、支持部材と、この支持部材に設けられるフレキシャと、このフレキシャに支持されるヘッド本体とを有し、前記支持部材とヘッド本体との間に、前記ヘッド本体の中央部に当接し、可動支点となる主支持点が設けられ、さらに前記主支持点を通って、記録媒体との摺動方向に沿う直線上に、トレーリング側とリーディング側の双方において副支持点が設けられ、この副支持点は、前記ヘッド本体の主支持点を支点とした回動を記録媒体の逆側から抑制できるように弾性力を有する弾性腕を介して弾性支持されていることを特徴とするものである。
【００１４】
この場合、前記支持部材には、記録媒体の摺動方向に伸びる挿入片が形成され、前記挿入片は前記支持体と前記フレキシャとが固定される際に、前記フレキシャに設けられた鉤状の折り曲げ片の凹部内に挿入されるものとして構成することができる。
【００１５】
さらに本発明では、前記主支持点及び副支持点は、前記支持部材と一体に形成されていてもよいし、あるいは前記副支持点は、支持部材と別体に形成されて、前記支持部材に取り付けられていてもよい。
【００１６】
本発明では、ヘッド本体の中央部に当接して、前記ヘッド本体を揺動自在に支持するピボット（メインピボット；主支持点）以外に、前記メインピボットを通って、記録媒体摺動との方向に沿う直線上に、サブピボット（副支持点）を新たに設けることにより、ピッチ方向における剛性を従来に比べて大きくし、ヘッド本体の安定した浮上姿勢を確保するものである。
【００１７】
このサブピボットを設けることにより、ヘッド本体の弾性支持状態でのピッチ剛性を大きくし、且つロール剛性を小さくでき、すなわち、ピッチ剛性とロール剛性とを別々に抑制できるようになっている。
【００１９】
また本発明では、前記サブピボットの個数、及び形状について限定するものでなく、任意に決定することができる。
【００２０】
例えば具体的な磁気ヘッド装置の構成としては図１を提示できる。
図１に示すように、ロードビーム３の垂直折曲面６から図示垂直下方向に、メインピボット８が突き出している。さらに前記メインピボット８のＸ1方向側、及びＸ2方向側に、適度な弾性力を有する弾性腕２０，２０を介して、サブピボット２１，２１が設けられており、前記サブピボット２１，２１が、ヘッド本体１のリーディング側Ａ及びトレーリング側Ｂ上面に位置する。
【００２１】
前記メインピボット８及びサブピボット２１，２１は、記録媒体の摺動方向（Ｘ1方向）に沿う同一直線上に設けられているためロール方向（Ｘ1軸回りの回転方向）における剛性は従来同様に小さいまま保つことができる。
【００２２】
従来（図５参照）では、ピボット（メインピボット）４６が一つしか設けられておらず、ロール剛性を小さくすると、同時にピッチ方向における剛性（Ｙ軸回りの回転方向）も小さくなってしまう。
【００２３】
ピッチ剛性が小さい状態であると、ヘッド本体３０と記録媒体との間の摩擦によって、記録媒体がＸ方向に摺動しても、前記ヘッド本体３０のトレーリング側Ｂのみが浮上し、リーディング側Ａが、記録媒体と接触したまま、なかなか浮上しない、前のめり姿勢の状態となる傾向が強かった。
【００２４】
これに対し、本発明では、図１に示すように、記録媒体摺動方向（Ｘ1方向）にサブピボット２１，２１を設けているために、ヘッド本体１と記録媒体との間の摩擦力に打ち勝つだけのピッチ方向における剛性を加えることができ、従来のようにヘッド本体１は、トレーリング側Ｂのみが浮上し、リーディング側Ａが記録媒体に接触した状態、つまり前のめり姿勢になりにくく、安定して浮上姿勢に入ることができる。
【００２５】
さらに、ヘッド本体１が浮上している状態においては、ピッチ剛性が従来に比べて大きくなっているために、前記ヘッド本体１がピッチ方向に大きく揺れることは低減され、安定した浮上姿勢を保つことができる。
【００２６】
なお、前記サブピボット２１，２１は、図１に示すように、支持部材（ロードビーム３）またはフレキシャ２と一体となって形成されていてもよいし、あるいは図４に示すように、サブピボット２１は、支持部材（ロードビーム３）と別体に設けられて、前記支持部材及びフレキシャ２に取り付けられるものであってもよい。
【００２７】
また本発明を適用できる磁気ヘッド装置は、図１に示すような形状、及び構成の磁気ヘッド装置に限らない。例えば図５に示すようなアダプタ４３が設けられ、このアダプタ４３にピボット４６が形成されているような磁気ヘッド装置において、弾性支持されるサブピボットを設けることができる。
【００２８】
また本発明では、光ディスク装置に使用される磁気ヘッド装置に限らず、ハードディスク装置などに使用される磁気ヘッド装置についても適用できる。
【００２９】
【発明の実施の形態】
図１は、本発明の第１の実施形態として光磁気ディスク装置に装備される浮上式の磁気ヘッド装置を示す部分分解斜視図である。
この磁気ヘッド装置は、ヘッド本体１と、フレキシャ２と、ロードビーム（支持部材）３とから構成されている。
ヘッド本体１は、スライダ４とコア組立体（図示しない）とバックプレート５とから構成されている。前記スライダ４は例えばチタン酸カルシウム（ＴｉＣａＯ3）などの非磁性セラミック材料により形成されており、図１の図示下側が記録媒体への対向面、図示上面側がフレキシャ２に固定支持される支持側である。
【００３０】
前記コア組立体は、コイルが巻回されたセンターコアとサイドコアとで構成されている。なお前記コアは、マンガン亜鉛（Ｍｎ−Ｚｎ）フェライトなどの磁性材料により直方体形状で形成されている。
各コアは、スライダ４の図示裏側に形成された切欠溝（図示しない）に挿嵌され、接着されるなどして固定されている。また、コアの下面は、スライダ４の記録媒体対向面と同一面となっており、センターコアとサイドコアとの間が磁気ギャップになっている。
【００３１】
図１に示すバックプレート５はバックコアとして機能しており、前述したセンターコアおよびサイドコアと同様に例えばマンガン亜鉛（Ｍｎ−Ｚｎ）フェライトなどの磁性材料により平板状に形成されている。なお、前記バックプレート５の下面には渦電流損を抑制するための例えばガラス（ＳｉＯ2）などの非導電材料によって形成された電気絶縁層が形成されていることが好ましい。
前記センターコアのコイルに記録電流が与えられると、前記コイルからセンターコアに記録磁界が誘導される。そして、磁気ギャップを介してセンターコアとサイドコアとの間の洩れ磁界により、記録媒体に垂直磁界が与えられる。記録媒体の下方からはレーザ光のエネルギーが与えられ、磁界変調または光変調により、記録媒体に信号が記録される。
【００３２】
フレキシャ２は薄い板ばねにより形成されている。図１に示すように、前記フレキシャ２には、固定面１２と弾性変形可能な腕部１３，１３とが一体に繋げられており、この腕部１３，１３から段差を介して、前記固定面１２と相対向する側にヘッド取付面１４が形成されている。
前記固定面１２には、前記固定面１２と一体となって図示上方に折り曲げられた固定爪１５，１５，１５，１５が形成されている。また前記固定面１２には位置決め孔１６が形成されており、この位置決め孔１６は、後述するロードビーム３の位置決め孔１０と位置合わせされるために設けられている。
【００３３】
ヘッド取付面１４には、ヘッド本体１の位置合わせをするための位置決め孔１７，１７が形成されている。
さらに前記ヘッド取付面１４には、その両側から前記ヘッド取付面１４と一体となって鉤状の折り曲げ片１８，１８が設けられている。図１に示すように、この折り曲げ片１８は図示上方に延び、その凹部１８ａ，１８ａは高さ寸法Ｈとなっている。
【００３４】
次に、ロードビーム３について説明する。
図１に示すロードビーム３は、記録媒体の半径方向（Ｙ方向）から延びており、Ｘ1方向が記録媒体の摺動方向である。
前記ロードビーム３は板ばね材料により形成されており、図１に示すようにロードビーム３の先部は段差構造となっている。
【００３５】
ロードビーム３には、図１の右上側から先部付近にかけて両側に折り曲げ部３ａ，３ａが形成されており、この部分が剛性を有する部分となっている。この折り曲げ部３ａ，３ａの終端から基端部には、前記折り曲げ部３ａ，３ａを有しない低剛性の板ばね機能部（図示しない）が設けられている。また前記折り曲げ部３ａ，３ａに挟まれた平坦部３ｂは図に示すように、ロードビーム３の先部にかけて徐々に幅寸法が小さくなっている。
前記平坦部３ｂの前端部から下方向にしかも記録媒体に対して垂直方向に垂直折曲面６が伸びている。
【００３６】
本発明では、図１に示すように、垂直折曲面６の底面中央からは前記垂直折曲面６と一体となって記録媒体に対して垂直方向に板状のメインピボット（主支持点）８が突き出している。このメインピボット８は、磁気ヘッド装置の駆動時において、フレキシャ２のヘッド取付面１４を介して、ヘッド本体１の上面に当接し、前記ヘッド本体１を揺動自在に支持するものである。
また図１に示すように、前記垂直折曲面６の端部から記録媒体に対して平行に、しかも平坦部３ｂから離れる向きに平行折曲面７が延びている。
【００３７】
この平行折曲面７には、垂直折曲面６との付け根部分に、Ｘ1，Ｘ2方向に伸びる弾性腕２０，２０が形成されている。
図１に示すように、前記弾性腕２０，２０は細く形成されており、適度な弾性力を有するものとなっている。
【００３８】
さらに本発明では、前記弾性腕２０，２０の端部に、図示垂直下方向に伸びるサブピボット２１，２１が形成されており、前記サブピボット２１，２１は、前記メインピボット８を通って、記録媒体との摺動方向（Ｘ1方向）に沿う直線上に設けられている。前記サブピボット２１，２１は弾性腕２０，２０（弾性部材）により弾性的に支持されたものとなっている。
【００３９】
さらに、前記弾性腕２０，２０と一定の間隔を有し、前記平坦部３ｂから離れる向きに、前記弾性腕２０，２０よりも大きい幅寸法を有し、且つＸ1，Ｘ2方向に前記弾性腕２０，２０よりも長く伸びる挿入片１１が形成されている。
前記挿入片１１は、ロードビーム３とフレキシャ２とが固定される際に、前記フレキシャ２に設けられた折り曲げ片１８，１８の凹部１８ａ，１８ａ内に挿入される。
【００４０】
また図示左側に延びた前記挿入片１１の端部は、取付面９となっており、この取付面９には位置決め孔１０が形成されている。なお、この取付面９はフレキシャ２との接合部となる部分であり、フレキシャ２に形成された位置決め孔１６と、ロードビーム３に形成された位置決め孔１０とで位置合わせされた後、前記フレキシャ２に形成された固定爪１５，１５，１５，１５が、前記取付面９上で折曲げられ、樹脂などによって接着固定される。
【００４１】
図２は、図１に示す磁気ヘッド装置の組立て完成後の状態を示す部分正面図である。なお図２では、図１に示すフレキシャ２は図示されていない。
図２に示すように、ヘッド本体１上面には、フレキシャ（図示しない）を介して、メインピボット８と、その両側にサブピボット２１，２１が当接した状態となっている。
【００４２】
上述したように、前記メインピボット８は、図１に示す垂直折曲面６から突き出しており、前記ヘッド本体１上面のほぼ中央部に当接している。
また、前記サブピボット２１，２１は、適度な弾性力を有する弾性腕２０，２０を介して、ヘッド本体１のリーディング側Ａ及びトレーリング側Ｂ上面に当接しており、上述したように、前記メインピボット８と、サブピボット２１，２１は、記録媒体摺動方向（Ｘ1方向）に沿う同一直線上に並んで設けられている。
【００４３】
本発明では、前記サブピボット２１，２１を、メインピボット８を通って、記録媒体の摺動方向（Ｘ1方向）に沿う直線上に設けたことで、ロール方向における剛性を小さいまま保つことが可能である。
なおロール方向とは、図１に示すように、記録媒体の摺動方向に伸びるＸ1軸回りの回転揺動方向のことである。
【００４４】
さらに本発明では、ピッチ方向における剛性を、従来に比べて大きくすることが可能となっている。
なおピッチ方向とは、図１に示すように、記録媒体の摺動方向（Ｘ1方向）と直交するＹ1，Ｙ2軸回りの回転揺動方向のことである。
【００４５】
つまり本発明では、ヘッド本体１上面のほぼ中央部に当接しているメインピボット８により、前記ヘッド本体１を揺動自在に支持でき、また、記録媒体の摺動方向（Ｘ1方向）に沿って、サブピボット２１を設けることにより、ピッチ方向における前記ヘッド本体１の回動を適性に抑制することができ、従来に比べて、より浮上安定性の良い磁気ヘッド装置を製造することが可能である。
ところで、図１に示すように、前記サブピボット２１，２１は、ヘッド本体１のリーディング側Ａ及びトレーリング側Ｂ上面の双方に設けられていてもよいが、本発明では、図３に示すように、少なくともヘッド本体１のトレーリング側Ｂ上面に前記サブピボット２１が設けられていることを必要とするものである。
【００４６】
ヘッド本体１と記録媒体が接触した状態で、前記記録媒体が摺動し始めると、前記ヘッド本体１は、通常、リーディング側Ａの方が浮上し始めるが、記録媒体とヘッド本体１との摩擦が大きいと、トレーリング側Ｂが先に浮き上がることがあり、このとき本発明では前記トレーリング側Ｂ上面にサブピボット２１を設けておくことで、ヘッド本体１のトレーリング側Ｂの浮上量を抑制することができる。
これにより、ヘッド本体１のリーディング側Ａでは、記録媒体との間の摩擦力の影響が低減され、ヘッド本体１のリーディング側Ａも容易に浮上することができる。
【００４７】
つまり本発明によれば、少なくともヘッド本体１のトレーリング側Ａ上面にサブピボット２１を設けておくことで、ヘッド本体１と記録媒体との間の摩擦力に打ち勝つだけのピッチ剛性を加えることができ、従来のようにヘッド本体１は、トレーリング側Ｂのみが浮上し、リーディング側Ａが記録媒体に接触した状態、つまり前のめりの姿勢になりにくく、安定して浮上姿勢に入ることができる。
ただし本発明では、ヘッド本体１のトレーリング側Ｂのピッチ剛性が元々大きく、逆にリーディング側Ａのピッチ剛性が小さいような磁気ヘッド装置には、ヘッド本体１のリーディング側Ａ上面にのみサブピボット２１を設けてもよい。
【００４８】
また本発明では、前述したように、サブピボット２１を支持する弾性腕２０（図１参照）は、適切な弾性力を有してなければならない。
前記弾性腕２０の弾性力が小さくなり剛性力が大きいと、ピッチ方向における剛性は大きくなりすぎ、ヘッド本体１がピッチ方向に回動しなくなってしまい好ましくない。
【００４９】
また、本発明では、前記サブピボット２１の個数を限定するものでなく、ヘッド本体１のリーディング側Ａ及び／またはトレーリング側Ｂ上面に複数個のサブピボット２１が設けられていてもよい。
さらに、本発明では、メインピボット８及びサブピボット２１の形状を限定するものではない。
【００５０】
本発明では図１に示すように、前記メインピボット８の頂点は円形状で形成されており、またサブピボット２１の頂点は、Ｖ字形状で形成されているが、これらの形状はいずれも、フレキシャ２との接触面積を小さくできる点で効果的である。
フレキシャ２との接触面積があまり大きくなるような形状では、ピッチ方向への剛性が強くなりすぎ、記録媒体表面の凹凸に追従できなくなり、好ましくない。
【００５１】
また図２及び図３に示すように、組立て完成後の磁気ヘッド装置において、サブピボット２１はヘッド本体１上面に当接しているが、本発明では、組立てた状態で、前記サブピボット２１の頂点が、ヘッド本体１の上面から離れていてもよい。
また、必ずしも、図２及び図３に示すように組立てられた状態で、メインピボット３がヘッド本体１上面に当接していなくてもよい。
これは、ロードビーム３の基端部に設けられている板ばね機能部からの押圧力によって、メインピボット８の部分に荷重が係り、ヘッド本体１の記録媒体上面摺動時、及び浮上時において、前記メインピボット８がヘッド本体１上面に当接する状態となるからである。
【００５２】
また本発明では、特にメインピボット８が形成される部分のバネ圧が小さいようなロードビーム３の場合は、サブピボット２１のみを設け、メインピボット８を設けなくてもよい。
これは、ロードビーム３の板ばね機能部からの押圧力によって、本来、メインピボット８が形成される部分の板ばね材がたわんで、ヘッド本体１上面に当接し、メインピボット８と同等の働きをするからである。
【００５３】
また本発明では、図１に示すように、前記サブピボット２１が、ロードビーム３と一体となって形成されていてもよいし、あるいは図４に示すように、サブピボット２１のみが別に設けられていてもよい。
図４に示すように、弾性腕２０は、ロードビーム３と同じ板ばね材料で形成されており、前記弾性腕２０の幅寸法は細く、適度な弾性力を有するものとなっている。また適度な弾性力を有するものであれば、板バネ材料ではなく、ワイヤなどの他の材料を弾性腕２０として使用してもよい。
【００５４】
図４に示すように、前記弾性腕２０の両端は、垂直下方向に折曲げられており、折曲げられた部分が、サブピボット２１，２１となっている。
そして、前記弾性腕２０の中央部が、垂直折曲面６に形成されているメインピボット８の付け根付近Ｃに樹脂などで接着固定される。
【００５５】
なおこのとき、垂直折曲面６から突き出しているメインピボット８と前記サブピボット２１，２１が、記録媒体の摺動方向（Ｘ1方向）に沿う同一直線上に並んで設けられるようにしなければならない。
また、図４では、サブピボット２１のみがロードビーム３と別体に設けられているが、メインピボット８もロードビーム３と別に設けられ、前記メインピボット８が図４に示す弾性腕２０と一体となって設けられていてもよい。
【００５６】
さらに、本発明では、図１に示すようなヘッド本体１、フレキシャ２およびロードビーム３で構成される磁気ヘッド装置について説明してきたが、このような磁気ヘッド装置に限るものではなく、例えば図５に示すようなアダプタ４３を使用する磁気ヘッド装置にも適用できる。この場合、サブピボット２１は、アダプタ４３の裏側に設けられているピボット（メインピボット）４６と同一面に、切欠きなどによって形成される。
また本発明では、光磁気ディスク装置に用いられる磁気ヘッド装置に限らず、フレキシャに舌片を有し、ピボットでヘッド本体を揺動自在に支持する、例えばハードディスク装置に使用される磁気ヘッド装置にも適用できる。
【００５７】
【発明の効果】
以上詳述した本発明によれば、支持部材に、ヘッド本体上面のほぼ中央部を当接するメインピボットを通って、記録媒体の摺動方向に沿う直線上に、サブピボットを設けることにより、ロール方向における剛性を小さく保ちながら、従来に比べてピッチ方向における剛性を大きくすることができ、ヘッド本体の浮上安定性を向上させることができる。
【００５８】
本発明では、前記サブピボットを、少なくともヘッド本体のトレーリング側上面に設けており、これにより、ヘッド本体が記録媒体から浮上する際に、ヘッド本体と記録媒体との間の摩擦力に打ち勝つだけのピッチ方向における剛性を加えることができ、従来のように前記ヘッド本体は、前のめりの姿勢になりにくく、前記ヘッド本体は、安定して浮上姿勢に入ることができる。
【００５９】
また本発明では、前記サブピボットは、支持部材と一体となって形成されてもよいし、あるいは別体に設けられ、後付けされてもよい。
【図面の簡単な説明】
【図１】本発明の第１実施形態として光磁気ディスク装置に設置される浮上式の磁気ヘッド装置の部分分解斜視図、
【図２】図１に示す磁気ヘッド装置の組立て完成後の構造を示す部分正面図、
【図３】本発明の第２実施形態の磁気ヘッド装置の組立て完成後の構造を示す部分正面図、
【図４】本発明の第３実施形態の磁気ヘッド装置の組立て完成後の構造を示す部分正面図、
【図５】従来の光磁気ディスク装置に設置される浮上式の磁気ヘッド装置の部分分解斜視図、
【符号の説明】
１  ヘッド本体
２  フレキシャ
３  ロードビーム
６  垂直折曲面
７  平行折曲面
８  メインピボット（主支持点）
１１  挿入片
１２  固定面
１３  腕部
１４  ヘッド取付面
１５  固定爪
１８  折り曲げ片
２０  弾性腕
２１  サブピボット（副支持点）
Ａ  リーディング側
Ｂ  トレーリング側
Ｘ1  記録媒体摺動方向
【図１】
0003663292.tif 000002
【図２】
0003663292.tif 000003
【図３】
0003663292.tif 000004
【図４】
0003663292.tif 000005
【図５】
0003663292.tif 000006